(57)【要約】【課題】光学箱の剛性を低下させず、光学箱内部に設けたポリゴンモーターの熱を光学箱の外部に効率的に放熱することのできる光走査装置を提供すること。【解決手段】ポリゴンモータ４２の軸受スリーブ２４は、光学箱３２の底板５０に形成された貫通孔５４に挿入されている。軸受スリーブ２４に形成された雌ねじに光学箱３２の外部に配置された金属等からなる軸受固定部材３０の雄ねじ５８が螺合してポリゴンモータ４２が光学箱３２に固定されている。ポリゴンモータ４２の熱は、軸受スリーブ２４から光学箱３２よりも熱伝導率の高い金属製の軸受固定部材３０を伝わり光学箱３２の外部へと放熱されるため、光学箱３２の内部の温度上昇を極めて小さくすることができる。しかも、光学箱３２の底板５０に放熱のための大きな開口部が存在しないので、光学箱３２の剛性が低下することがない。【選択図】        図１
2004286967.tif 000002
【特許請求の範囲】
【請求項１】
光ビームを出射する光源と、
前記光ビームを偏向走査するための回転多面鏡と、
前記回転多面鏡に連結される回転シャフト、前記回転シャフトに連結される回転駆動用マグネットと、軸方向一端部から前記回転シャフトを挿入し回転自在に保持する軸受、及び前記軸受と連結され前記回転体を回転させるための固定子コイルを有する回転駆動基板ユニットを備えたポリゴンモータと、
前記光ビームを被走査面上に結像させる光学系と、
前記光源、前記ポリゴンモータ、及び前記光学系を収容する光学箱と、
前記軸受の軸方向他端部に設けられた係合部と、
前記光学箱に設けられ、前記軸受の他端部側の一部分を光学箱内側より挿入する貫通孔と、
少なくとも一部が前記光学箱の外部に配置され、前記光学箱の外部から前記軸受の前記係合部と係合することで、前記ポリゴンモータを前記光学箱に位置決め固定する軸受固定部材と、
を有することを特徴とする光走査装置。
【請求項２】
前記軸受の前記係合部は凹部であり、前記凹部に前記軸受固定部材の一部分を圧入することにより前記軸受と前記軸受固定部材とが固定されている、ことを特徴とする請求項１に記載の光走査装置。
【請求項３】
前記軸受の前記係合部は凹部であり、前記凹部に前記軸受固定部材の一部分を挿入接着することにより前記軸受と前記軸受固定部材とが固定されている、ことを特徴とする請求項１に記載の光走査装置。
【請求項４】
前記軸受の前記係合部は内側面に第１の螺旋溝が設けられた孔であり、前記軸受固定部材の外側面には第２の螺旋溝が設けられており、
前記第１の螺旋溝と前記第２の螺旋溝とを螺合させることにより前記軸受と前記軸受固定部材とが固定されている、ことを特徴とする請求項１に記載の光走査装置。
【請求項５】
光ビームを出射する光源と、
前記光ビームを偏向走査するための回転多面鏡と、
前記回転多面鏡に連結される回転シャフト、前記回転シャフトに連結される回転駆動用マグネットと、軸方向一端部から前記回転シャフトを挿入し回転自在に保持する軸受、及び前記軸受と連結され前記回転体を回転させるための固定子コイルを有する回転駆動基板ユニットを備えたポリゴンモータと、
前記光ビームを被走査面上に結像させる光学系と、
前記光源、前記ポリゴンモータ、及び前記光学系を収容する光学箱と、
前記軸受と一体的に連結され、一端部に係合部を有する軸受支持部材と、
前記光学箱に設けられ、前記軸受支持部材の一部分を光学箱内側より挿入する貫通孔と、
少なくとも一部が前記光学箱の外部に配置され、前記光学箱の外部から前記軸受支持部材の前記係合部と係合することで、前記ポリゴンモータを前記光学箱に位置決め固定する軸受固定部材と、
を有することを特徴とする光走査装置。
【請求項６】
前記軸受支持部材の前記係合部は凹部であり、前記凹部に前記軸受固定部材の一部分を圧入することにより前記軸受支持部材と前記軸受固定部材とが固定されている、ことを特徴とする請求項５に記載の光走査装置。
【請求項７】
前記軸受支持部材の前記係合部は凹部であり、前記凹部に前記軸受固定部材の一部分を挿入接着することにより前記軸受支持部材と前記軸受固定部材とが固定されている、ことを特徴とする請求項５に記載の光走査装置。
【請求項８】
前記軸受支持部材の前記係合部は内側面に第１の螺旋溝が設けられた孔であり、前記軸受固定部材の外側面には第２の螺旋溝が設けられており、
前記第１の螺旋溝と前記第２の螺旋溝とを螺合させることにより前記軸受支持部材と前記軸受固定部材とが固定されている、ことを特徴とする請求項５に記載の光走査装置。
【請求項９】
前記軸受固定部材と前記光学箱の間に、前記軸受固定部材と前記光学箱との間に反発力を発生させる弾性部材を配置した、ことを特徴とする請求項１乃至請求項８の何れか１項に記載の光走査装置。
【請求項１０】
前記軸受固定部材と前記軸受とが係合した際に、前記軸受固定部材と前記光学箱との間に反発力を有するように前記軸受固定部材の一部もしくは全部が弾性材料で構成されている、ことを特徴とした請求項１乃至請求項９の何れか１項に記載の光走査装置。
【請求項１１】
前記軸受固定部材の一部もしくは全部が、前記光学箱よりも熱伝導率の大きい材料で構成されている、ことを特徴とする請求項１乃至請求項１０の何れか１項に記載の光走査装置。
【発明の詳細な説明】
【０００１】
【発明の属する技術分野】
本発明は、回転多面鏡を用いた光走査装置、例えばレーザビームプリンタなどにおいて、レーザ光を画像坦持体に走査するための光走査装置に関する。
【０００２】
【従来の技術】
図８には、レーザビームプリンタに用いられている従来の光走査装置１００が示されている（例えば、特許文献１等参照）。
【０００３】
図８において、１０２はポリゴンミラー（回転多面鏡）、１０４はポリゴンミラー押え、１０６はポリゴンミラー台座、１０８は回転駆動用マグネット、１１０は回転体支持部材、１１２は回転シャフト、１１４は軸受スリーブ、１１６は固定子コイル、１１８は回転駆動基板ユニット、１２０はモータ固定ネジ、１２２は光学箱である。
【０００４】
同図において、ポリゴンミラー１０２はポリゴンミラー押え１０４とポリゴンミラー台座１０６によって挟持され、またポリゴンミラー台座１０６と回転シャフト１１２は回転駆動用マグネット１０８が固着した回転体支持部材１１０に固定されている（以下、符号１０２〜１１８の全体をロータ１２４と記す）。
【０００５】
また回転シャフト１１２は軸受スリーブ１１４に挿入され、前記ロータ１２４は軸受スリーブ１１４に対して回転自在となっている。
【０００６】
さらに固定子コイル１１６は回転駆動基板ユニット１１８に固定され、回転駆動基板ユニット１１８は軸受スリーブ１１４に固定され、回転駆動基板ユニット１１８はモータ固定ネジ１２０などによって光学箱１２２に固定されている。
【０００７】
なお、軸受スリーブ１１４、固定子コイル１１６、回転駆動基板ユニット１１８、及びロータ１２４などによって構成され、上記ポリゴンミラー１０２を回転させるための回転機構部全体を以下ではポリゴンモータ１２６と記す。
【０００８】
次に同図従来例の光走査装置の動作について説明する。
【０００９】
回転駆動基板ユニット１１８上の図示しないモータ駆動回路にスタート信号が入力されると、固定子コイル１１６には定められた順序で通電が行われる。
【００１０】
すると固定子コイル１１６と回転駆動用マグネット１０８の間に働く電磁力によって前記ロータ１２４には回転トルクが発生し、前記ロータ１２４は回転シャフト１１２を軸中心にして回転する。
【００１１】
このときモータ駆動回路は固定子コイル１１６に流す電流量を前記ロータ１２４の回転速度に応じて調整し、前記ロータ１２４の回転速度が常に設定回転速度になるように制御を行う。
【００１２】
このとき図示しないレーザ光をポリゴンミラー１０２に照射し反射偏向させることで走査光が得られる。
【００１３】
【発明が解決しようとしている課題】
上記従来例では、回転駆動基板ユニット１１８の４隅に穿ったネジ締結穴でポリゴンモータ１２６全体を光学箱１２２に締結している。
【００１４】
その為、ポリゴンモータ１２６等の発熱で光学箱１２２内部の温度が上がってくると、回転駆動基板ユニット１１８と光学箱１２２の熱膨張率の違いにより、光学箱１２２や回転駆動基板ユニット１１８に撓みなど変形が生じ（例えば、光学箱１２２の底板が下側に凸状に湾曲する。）、その結果、軸受スリーブ１１４が設計された正しい位置からずれてしまったり、倒れが生じたりするという問題があった（なお、図８中の矢印は、部材の変形方向を示す。）。
【００１５】
軸受スリーブ１１４の位置がズレたり倒れが生じた場合、ポリゴンミラー１０２も設計された位置からずれた位置で回転軸も倒れてしまうため、レーザ光が画像坦持体上の正しい位置に走査されなくなってしまい、正しい画像が出力されなくなってしまう。
【００１６】
このような問題の解決方法としては（１）ポリゴンモータ１２６と光学箱１２２を固定する点の間隔を極力短くする（２）ポリゴンモータ１２６の発熱を光学箱１２２の外部に放熱するなどして、光学箱１２２の内部の温度上昇を極力抑える  などが有効と考えられてきた。
【００１７】
しかし回転駆動基板ユニット１１８上にはモータ駆動回路部品や固定子コイル１１６、およびこれらの配線パターンなどが存在するため、取付けネジ穴を十分な効果が得られるほど近接して配置することは困難であった。
【００１８】
また、ポリゴンモータ１２６の発熱を光学箱１２２の外部に放熱するアプローチとしては、図９に示すように光学箱１２２の底板に大きな開口部１２８を設けて回転駆動基板ユニット１１８を外気に晒したり、さらには回転駆動基板ユニット１１８に取り付けた放熱器１３０を大きな開口部１２８から露出させるなどして放熱することなどが行われてきた（例えば、特許文献２等参照）。
【００１９】
しかしながら光学箱１２２にこのような大きな開口部１２８を設けることは、光学箱１２２に対し軸受スリーブ１１４を直接位置決めする図８のようなシンプルな構造が取れなくなり、また大きな開口部１２８の存在で光学箱１２２の剛性が低下するなど、光学箱１２２の設計がより難しくなるという問題点があった（なお、図９中の矢印は、部材の変形方向を示す。）。
【００２０】
さらに、通常、光学箱１２２は外部からの微細な粉塵が侵入しないよう完全に密閉する必要があり、この点でも大きな開口部１２８はデメリットとなる。
【００２１】
【特許文献１】
特開平６−７５１８４号公報
【特許文献２】
特開平１１−１６０６４４号公報
【００２２】
本発明は上記事実を考慮し、光学箱の剛性を低下させず、光学箱内部に設けたポリゴンモーターの熱を光学箱の外部に効率的に放熱することのできる光走査装置を提供することが目的である。
【００２３】
【課題を解決するための手段】
請求項１に記載の光走査装置は、光ビームを出射する光源と、前記光ビームを偏向走査するための回転多面鏡と、前記回転多面鏡に連結される回転シャフト、前記回転シャフトに連結される回転駆動用マグネットと、軸方向一端部から前記回転シャフトを挿入し回転自在に保持する軸受、及び前記軸受と連結され前記回転体を回転させるための固定子コイルを有する回転駆動基板ユニットを備えたポリゴンモータと、前記光ビームを被走査面上に結像させる光学系と、前記光源、前記ポリゴンモータ、及び前記光学系を収容する光学箱と、前記軸受の軸方向他端部に設けられた係合部と、前記光学箱に設けられ、前記軸受の他端部側の一部分を光学箱内側より挿入する貫通孔と、少なくとも一部が前記光学箱の外部に配置され、前記光学箱の外部から前記軸受の前記係合部と係合することで、前記ポリゴンモータを前記光学箱に位置決め固定する軸受固定部材と、を有することを特徴としている。
【００２４】
次に、請求項１に記載の光走査装置の作用を説明する。
【００２５】
請求項１に記載の光走査装置によれば、ポリゴンモータの軸受は、軸受の他端部側の一部分が光学箱内側より貫通孔へ挿入され、光学箱の外部に配置された軸受固定部材が軸受の係合部と係合することで、ポリゴンモータが光学箱に位置決め固定される。
【００２６】
したがって、光学箱に大きな開口部を設けることなく、簡単な構造で光学箱にポリゴンモータを１点で固定することができ、また同時にポリゴンモータで発生した熱は、軸受、軸受固定部材を介して光学箱の外部へ効率良く放熱されるため、光学箱の温度上昇を小さくでき、光学箱や回転駆動基板ユニットの撓み（光学箱と回転駆動基板ユニットの熱膨張率が違っている場合に生ずる）により光ビームが画像坦持体上に正しく走査されなくなってしまうという問題を防止することができる。
【００２７】
なお、光源から出射された光ビームは、ポリゴンモータで回転される回転多面鏡で偏向走査され、光学系により被走査面上に結像される。
【００２８】
請求項２に記載の発明は、請求項１に記載の光走査装置において、前記軸受の前記係合部は凹部であり、前記凹部に前記軸受固定部材の一部分を圧入することにより前記軸受と前記軸受固定部材とが固定されている、ことを特徴としている。
【００２９】
次に、請求項２に記載の光走査装置の作用を説明する。
【００３０】
請求項２に記載の光走査装置では、軸受の凹部に軸受固定部材の一部分が圧入されることで軸受と軸受固定部材とが固定される。
【００３１】
請求項３に記載の発明は、請求項１に記載の光走査装置において、前記軸受の前記係合部は凹部であり、前記凹部に前記軸受固定部材の一部分を挿入接着することにより前記軸受と前記軸受固定部材とが固定されている、ことを特徴としている。
【００３２】
次に、請求項３に記載の光走査装置の作用を説明する。
【００３３】
請求項３に記載の光走査装置では、軸受の凹部に軸受固定部材の一部が挿入されて接着されることで軸受と軸受固定部材とが固定される。
【００３４】
請求項４に記載の発明は、請求項１に記載の光走査装置において、前記軸受の前記係合部は内側面に第１の螺旋溝が設けられた孔であり、前記軸受固定部材の外側面には第２の螺旋溝が設けられており、
前記第１の螺旋溝と前記第２の螺旋溝とを螺合させることにより前記軸受と前記軸受固定部材とが固定されている、ことを特徴としている。
【００３５】
次に、請求項４に記載の光走査装置の作用を説明する。
【００３６】
請求項４に記載の光走査装置では、軸受の孔に設けた第１の螺旋溝に、軸受固定部材に設けられた第２の螺旋溝が螺合することで軸受と軸受固定部材とが固定される。
【００３７】
請求項５に記載の光走査装置は、光ビームを出射する光源と、前記光ビームを偏向走査するための回転多面鏡と、前記回転多面鏡に連結される回転シャフト、前記回転シャフトに連結される回転駆動用マグネットと、軸方向一端部から前記回転シャフトを挿入し回転自在に保持する軸受、及び前記軸受と連結され前記回転体を回転させるための固定子コイルを有する回転駆動基板ユニットを備えたポリゴンモータと、前記光ビームを被走査面上に結像させる光学系と、前記光源、前記ポリゴンモータ、及び前記光学系を収容する光学箱と、前記軸受と一体的に連結され、一端部に係合部を有する軸受支持部材と、前記光学箱に設けられ、前記軸受支持部材の一部分を光学箱内側より挿入する貫通孔と、少なくとも一部が前記光学箱の外部に配置され、前記光学箱の外部から前記軸受支持部材の前記係合部と係合することで、前記ポリゴンモータを前記光学箱に位置決め固定する軸受固定部材と、を有することを特徴としている。
【００３８】
次に、請求項５に記載の光走査装置の作用を説明する。
【００３９】
請求項５に記載の光走査装置によれば、ポリゴンモータの軸受は、軸受支持部材に対して一体的に連結されている。
【００４０】
ポリゴンモータと連結された軸受支持部材が光学箱内側より貫通孔へ挿入され、光学箱の外部に配置された軸受固定部材が軸受支持部材の係合部と係合することで、ポリゴンモータが軸受支持部材を介して光学箱に位置決め固定される。
【００４１】
したがって、光学箱に大きな開口部を設けることなく、簡単な構造で光学箱にポリゴンモータを１点で固定することができ、また同時にポリゴンモータで発生した熱は、軸受、軸受支持部材、及び軸受固定部材を介して光学箱の外部へ効率良く放熱されるため、光学箱の温度上昇を小さくでき、光学箱や回転駆動基板ユニットの撓み（光学箱と回転駆動基板ユニットの熱膨張率が違っている場合に生ずる）により光ビームが画像坦持体上に正しく走査されなくなってしまうという問題を防止することができる。
【００４２】
なお、光源から出射された光ビームは、ポリゴンモータで回転される回転多面鏡で偏向走査され、光学系により被走査面上に結像される。
【００４３】
請求項６に記載の発明は、請求項５に記載の光走査装置において、前記軸受支持部材の前記係合部は凹部であり、前記凹部に前記軸受固定部材の一部分を圧入することにより前記軸受支持部材と前記軸受固定部材とが固定されている、ことを特徴としている。
【００４４】
次に、請求項６に記載の光走査装置の作用を説明する。
【００４５】
請求項６に記載の光走査装置では、軸受支持部材の凹部に軸受固定部材の一部分が圧入されることで軸受支持部材と軸受固定部材とが固定される。
【００４６】
請求項７に記載の発明は、請求項５に記載の光走査装置において、前記軸受支持部材の前記係合部は凹部であり、前記凹部に前記軸受固定部材の一部分を挿入接着することにより前記軸受支持部材と前記軸受固定部材とが固定されている、ことを特徴としている。
【００４７】
次に、請求項７に記載の光走査装置の作用を説明する。
【００４８】
請求項７に記載の光走査装置では、軸受支持部材の凹部に軸受固定部材の一部が挿入されて接着されることで軸受支持部材と軸受固定部材とが固定される。
【００４９】
請求項８に記載の発明は、請求項５に記載の光走査装置において、前記軸受支持部材の前記係合部は内側面に第１の螺旋溝が設けられた孔であり、前記軸受固定部材の外側面には第２の螺旋溝が設けられており、前記第１の螺旋溝と前記第２の螺旋溝とを螺合させることにより前記軸受支持部材と前記軸受固定部材とが固定されている、ことを特徴としている。
【００５０】
次に、請求項８に記載の光走査装置の作用を説明する。
【００５１】
請求項８に記載の光走査装置では、軸受支持部材の孔に設けた第１の螺旋溝に、軸受固定部材に設けられた第２の螺旋溝が螺合することで軸受支持部材と軸受固定部材とが固定される。
【００５２】
請求項９に記載の発明は、請求項１乃至請求項８の何れか１項に記載の光走査装置において、前記軸受固定部材と前記光学箱の間に、前記軸受固定部材と前記光学箱との間に反発力を発生させる弾性部材を配置した、ことを特徴としている。
【００５３】
次に、請求項９に記載の光走査装置の作用を説明する。
【００５４】
軸受固定部材と光学箱の間に軸受固定部材と光学箱との間に反発力を発生させる弾性部材を配置したので、軸受固定部材を光学箱から引き離す方向の力を発生し、この作用によってポリゴンモータ全体が光学箱内部に押し当てられ固定される。
【００５５】
請求項１０に記載の発明は、請求項１乃至請求項９の何れか１項に記載の光走査装置において、前記軸受固定部材と前記軸受とが係合した際に、前記軸受固定部材と前記光学箱との間に反発力を有するように前記軸受固定部材の一部もしくは全部が弾性材料で構成されている、ことを特徴としている。
【００５６】
次に、請求項１０に記載の光走査装置の作用を説明する。
【００５７】
軸受固定部材と軸受とが係合すると、軸受固定部材を構成する弾性材料の弾性力により軸受固定部材と光学箱との間に反発力が発生し、これによってポリゴンモータが光学箱内部に押し当てられ固定される。
【００５８】
請求項１１に記載の発明は、請求項１乃至請求項１０の何れか１項に記載の光走査装置において、前記軸受固定部材の一部もしくは全部が、前記光学箱よりも熱伝導率の大きい材料で構成されている、ことを特徴としている。
【００５９】
次に、請求項１１に記載の光走査装置の作用を説明する。
【００６０】
軸受固定部材の一部もしくは全部を、光学箱よりも熱伝導率の大きい材料で構成することにより、ポリゴンモータで発生した熱を軸受固定部材を介してより効率的に光学箱の外部へ伝達することができるようになる。
【００６１】
【発明の実施の形態】
［第１の実施形態］
図１には本発明の第１の実施形態に係る光走査装置１０が断面図にて示されている。
【００６２】
図１において、符号１２はポリゴンミラー、符号１４はポリゴンミラー押え、符号１６はポリゴンミラー台座、符号１８は回転駆動用マグネット、符号２０は回転体支持部材、符号２２は回転シャフト、符号２４は軸受スリーブ、符号２６は固定子コイル、符号２７は固定子コイル２６を取り付けるヨーク、符号２８は回転駆動基板ユニット、符号３０は軸受固定部材、符号３２は光学箱を示している。
【００６３】
本実施形態の光学箱３２は、合成樹脂で形成されている。
【００６４】
ポリゴンミラー押え１４、ポリゴンミラー台座１６、及び回転体支持部材２０は、回転シャフト２２に固定されている。
【００６５】
ポリゴンミラー１２は、ポリゴンミラー押え１４とポリゴンミラー台座１６との間に位置しており、ポリゴンミラー押え１４の弾性力によって挟持されている。
【００６６】
また、回転駆動用マグネット１８は、回転体支持部材２０に固定されている。
【００６７】
以上のポリゴンミラー１２、ポリゴンミラー押え１４、ポリゴンミラー台座１６、回転駆動用マグネット１８、回転体支持部材２０、回転シャフト２２などで構成される回転体部全体を以下ではロータ３４と記す。
【００６８】
固定子コイル２６を取り付けたヨーク２７は、回転駆動基板ユニット２８に固定されている。
【００６９】
軸受スリーブ２４は、上側が大径に形成された大径部分２４Ａ、下側が小径に形成された小径部分２４Ｂとされている。
【００７０】
本実施形態の軸受スリーブ２４は、真鍮製であるが、真鍮以外の金属や他の材料から形成することもできる。
【００７１】
軸受スリーブ２４の小径部分２４Ｂは、回転駆動基板ユニット２８に形成された孔３６を挿通している。
【００７２】
回転駆動基板ユニット２８の下方に突出した小径部分２４Ｂには、環状の溝３８が形成されており、この溝３８に嵌め込まれたリング４０と大径部分２４Ａの下端面との間に回転駆動基板ユニット２８が位置している。
【００７３】
以上の軸受スリーブ２４、固定子コイル２６、ヨーク２７、回転駆動基板ユニット２８、及びロータ３４などによって構成され、上記ポリゴンミラー１２を回転させるための回転機構部全体を以下ではポリゴンモータ４２と記す。
【００７４】
軸受スリーブ２４には、上側にロータ３４の回転シャフト２２を回転自在に挿入する孔４４が形成されており、この孔４４の下側には下端に開口する大径の大径孔４６が形成されている。
【００７５】
なお、孔４４の下端付近には、回転シャフト２２を支持するスラスト板４８が固定されている。
【００７６】
軸受スリーブ２４の小径部分２４Ｂは、光学箱３２の底板５０のボス５２に形成された貫通孔５４に挿入されており、ポリゴンモータ４２の光学箱３２に対する水平方向の位置決め、及び回転軸方向（回転軸の傾き）の角度決めがなされている。
【００７７】
したがって、貫通孔５４の内径は、軸受スリーブ２４の小径部分２４Ｂの外径よりも僅かに大きいだけである。
【００７８】
軸受スリーブ２４の大径孔４６には、雌ねじ（図示せず）が形成されている。
【００７９】
軸受固定部材３０は、光学箱３２よりも熱伝導率の高い部材から形成されており、軸受スリーブ２４の雌ねじに螺合する雄ねじ５８の形成された円柱部６０と、円柱部６０から放射方向に延びる複数の放射状突起６２とを備えている。
【００８０】
なお、軸受固定部材３０を形成する材料としては、真鍮、鋼、ステンレス、アルミニューム等の金属でも良く、少なくとも光学箱３２よりも熱伝導率の高い材料であれば、セラミックス等の金属以外の材料であっても良い。
【００８１】
放射状突起６２は、弾性を有する板ばね状に形成されている。
【００８２】
軸受固定部材３０の雄ねじ５８は、光学箱３２の外部から軸受スリーブ２４の雌ねじに螺合されている。
【００８３】
軸受固定部材３０の放射状突起６２は、先端部が光学箱３２の底板５０に押し当てられることで弾性変形し、軸受固定部材３０を光学箱３２から引き離す方向の力を発生している。
【００８４】
このため、ポリゴンモータ４２は、軸受スリーブ２４が下方に引っ張られ、軸受スリーブ２４の大径部分２４Ａが回転駆動基板ユニット２８を光学箱３２のボス５２に押し付けられることで固定されている。
【００８５】
なお、この回転駆動基板ユニット２８は、光学箱３２に対して、ボス５２の部分１点でのみ固定されている。
【００８６】
図２には、光走査装置１０の内部構成の概略が示されている。
【００８７】
図２に示すように光学箱３２の内部には、ポリゴンミラー１２、ポリゴンモータ４２の他に、レーザ光を出射する光源７４、光学レンズ７６、７８、光学ミラー８０等が搭載されている。
【００８８】
この光走査装置１０では光源７４から出射されたレーザ光がポリゴンミラー１２により偏向され、光学レンズ７６、及び光学ミラー８０を介して後述する感光体ドラム８２の表面を走査露光するようになっている。
【００８９】
図３に示すように、この光走査装置１０を備えた画像形成装置８４においては、光走査装置１０の下方に配置された感光体ドラム８２が図３の矢印Ｑ方向に所定の角速度で回転する。
【００９０】
感光体ドラム８２の外周部近傍には、帯電装置８６、現像装置８８、転写装置９０及びクリーニング装置９２が外周に沿って順に設置されている。
【００９１】
なお、光走査装置１０によるレーザ光の走査位置は、帯電装置８６による帯電位置と現像装置８８による現像位置との間に設定されている。
【００９２】
帯電装置８６により帯電された感光体ドラム８２の表面は、デジタル画像データに応じて変調された光走査装置１０からのレーザ光により走査露光され、静電潜像が形成される。
【００９３】
さらに、この静電潜像は現像装置８８により現像され、感光体ドラム８２の表面に静電潜像に対応したトナー像が形成される。
【００９４】
一方、用紙Ｐは、上記トナー像の形成と同期して、所定経路に沿って感光体ドラム８２と転写装置９０とのニップ部に搬送される。
【００９５】
用紙Ｐが該ニップ部に搬送されるタイミングで所定の転写バイアス電圧が転写装置９０に印加され、この転写バイアス電圧の印加及び転写装置９０による用紙Ｐの感光体ドラム８２に対する押圧作用によって、感光体ドラム８２上のトナー像は用紙Ｐに転写される。
【００９６】
転写後の用紙Ｐは定着器９４に搬送され、用紙Ｐ上に形成されたトナー像が用紙Ｐに定着される。
【００９７】
定着された用紙Ｐは矢印Ｗ方向に搬送され、図示しない排紙トレイへ排出される。
（作用）
次に、本実施形態の光走査装置１０の作用を説明する。
【００９８】
本実施形態の光走査装置１０では、ポリゴンモータ４２の発熱は、軸受スリーブ２４から光学箱３２よりも熱伝導率の高い金属製の軸受固定部材３０を伝わり光学箱３２の外部の軸受固定部材表面、特に放射状突起６２の表面から大量に光学箱３２の外部へと放熱されるため、光学箱３２の内部の温度上昇を極めて小さくすることができる。
【００９９】
しかも、光学箱３２の底板５０に形成する貫通孔５４の内径は、軸受スリーブ２４の外径と同等以下で良く、光学箱３２の底板５０に従来技術で説明した放熱のための大きな開口部を必要としないので、光学箱３２の剛性が低下することがない。
【０１００】
また、光学箱３２の防塵のための施策も、光学箱３２の貫通孔５４をシーリングするだけで良く、大きな開口部をシーリングするのに比べて遥かに容易となる。
【０１０１】
さらに、本実施例の光走査装置１０では、ポリゴンモータ４２が軸受スリーブ２４の近傍のみで光学箱３２に固定されるため、光学箱３２の内部の温度上昇、及び回転駆動基板ユニット２８と光学箱３２との熱膨張率差に起因する光学箱３２の変形が生じず、軸受スリーブ２４が設計された正しい位置からずれてしまったり、倒れが生じてしまうという問題が発生しない。
【０１０２】
したがって、光ビームを感光体ドラム８２の所定の位置で最適に走査することができる。
【０１０３】
また、光学箱３２に対する軸受スリーブ２４の位置決めを軸受スリーブ２４と貫通孔５４との嵌合によって行うというシンプルな構造であるため、光学箱３２の設計が容易であり、コスト上も有利である。
【０１０４】
上述したように、ポリゴンモータ４２の熱は、光学箱３２に形成された貫通孔５４を介して外部に放熱されるたが、光学箱３２の外部で熱を放熱する面積は大きい方が好ましい。
【０１０５】
ここで、貫通孔５４の断面積に対して、光学箱３２の外部で熱を放熱する面積は３倍以上が好ましい。即ち、光学箱３２の外部での軸受固定部材３０の表面積は、貫通孔５４の断面積の３倍以上が好ましい。
【０１０６】
なお、本実施形態では、軸受固定部材３０の雄ねじ５８が、軸受スリーブ２４の雌ねじ（図示せず）に螺合されて、軸受固定部材３０と軸受スリーブ２４とが固定されているが、図４に示すように、雄ねじ５８及び雌ねじを形成せず、軸受固定部材３０を軸受スリーブ２４に圧入しても良く、軸受固定部材３０と軸受スリーブ２４とを接着剤を用いて固定しても良い。
［第２の実施形態］
次に、本発明の第２の実施形態に係る光走査装置１０を図５にしたがって説明する。なお、第１の実施形態と同一構成に関しては同一符号を付し、その説明は省略する。
【０１０７】
図５に示すように、本実施形態では、軸受スリーブ２４が、光学箱３２よりも熱伝導率の高い部材、本実施形態では金属からなる軸受支持部材６４に挿入されている。
【０１０８】
軸受支持部材６４は、円筒部６６と、円筒部６６の上端に形成されたフランジ部６８とを備えており、円筒部６６が光学箱３２の貫通孔５４に挿入され、フランジ部６８がボス５２の上面に当接している。
【０１０９】
本実施形態の軸受スリーブ２４は、小径部分２４Ｂの下端側の下側に更に小径の細径部分２４Ｃが形成されている。
【０１１０】
軸受支持部材６４の円筒部６６には、軸受スリーブ２４の細径部分２４Ｃが圧入され、軸受スリーブ２４の小径部分２４Ｂの下端面が、軸受支持部材６４のフランジ部６８の上面に当接している。
【０１１１】
なお、回転駆動基板ユニット２８は、軸受スリーブ２４の大径部分２４Ａの下端面と、軸受支持部材６４のフランジ部６８の上面との間に挟持固定されている。
【０１１２】
円筒部６６の内面には、下端側の一部分に雌ねじ（図示せず）が形成されており、本実施形態では、この雌ねじに軸受固定部材３０の雄ねじ５８が螺合している。
【０１１３】
このため、ポリゴンモータ４２は、軸受支持部材６４が下方に引っ張られ、軸受支持部材６４のフランジ部６８が光学箱３２のボス５２に押し付けられることで固定されている。
【０１１４】
本実施形態では、ポリゴンモータ４２の発熱は、軸受スリーブ２４から光学箱３２よりも熱伝導率の高い金属製の軸受支持部材６４、及び軸受固定部材３０を伝わり光学箱３２の外部の軸受固定部材表面、特に放射状突起６２の表面から大量に光学箱３２の外部へと放熱されるため、光学箱３２の内部の温度上昇を極めて小さくすることができる。
【０１１５】
なお、その他の作用効果は第１の実施形態と同様である。
【０１１６】
また、本実施形態では、軸受固定部材３０の雄ねじ５８が、軸受支持部材６４の雌ねじ（図示せず）に螺合されて、軸受固定部材３０と軸受支持部材６４とが固定されているが、図６に示すように、雄ねじ５８及び雌ねじを形成せず、軸受固定部材３０を軸受支持部材６４に圧入しても良く、軸受固定部材３０と軸受支持部材６４とを接着剤を用いて固定しても良い。
［第３の実施形態］
次に、本発明の第３の実施形態に係る光走査装置１０を図７にしたがって説明する。なお、本実施形態の光走査装置１０は、第１の実施形態の変形例であり、第１の実施形態と同一構成に関しては同一符号を付し、その説明は省略する。
【０１１７】
図７に示すように、本実施形態の光走査装置１０では、軸受固定部材３０の円柱部６０の下端に、金属の平板からなる放熱板７２が溶接またはロー付け等で固着されている。
【０１１８】
本実施形態では、表面積の広い放熱板７２を軸受固定部材３０に固着したので、放熱効果が向上する。
【０１１９】
なお、放熱板７２に更に多数のフィンを設けても良い。
［第４の実施形態］
なお、上記第１の実施形態では、軸受スリーブ２４の大径孔４６に軸受固定部材３０を係合したが、本発明はこれに限らず、図示は省略するが、軸受スリーブ２４の下端部分を雄ねじ形状として光学箱３２の底板５０から突出させ、この軸受スリーブ２４の雄ねじ部分にナット形状とした軸受固定部材３０を螺合させて軸受スリーブ２４、光学箱３２、及び軸受固定部材３０を一体的に固定しても良い。
【０１２０】
【発明の効果】
以上説明したように、本発明の光走査装置は上記の構成としたので、光学箱の剛性を低下させず、光学箱内部に設けたポリゴンモーターの熱を光学箱の外部に効率的に放熱することができ、光ビームを像担持体上の所定の位置に適正に走査させ、高品質の画像を形成させることができる、という優れた効果を有する。
【図面の簡単な説明】
【図１】（Ａ）は本発明の第１の実施形態に係る光走査装置の断面図であり、（Ｂ）は軸受固定部材を示す光走査装置の底面図である。
【図２】本発明の第１の実施形態に係る光走査装置の平面図であ。
【図３】本発明の第１の実施形態に係る光走査装置を用いた画像形成装置の概略構成図である。
【図４】第１の実施形態の変形例に係る光走査装置の断面図である。
【図５】本発明の第２の実施形態に係る光走査装置の断面図である。
【図６】第２の実施形態の変形例に係る光走査装置の断面図である。
【図７】本発明の第３の実施形態に係る光走査装置の断面図である。
【図８】従来例に係る光走査装置の断面図である。
【図９】他の従来例に係る光走査装置の断面図である。
【符号の説明】
１０    光走査装置
１２    ポリゴンミラー（回転多面鏡）
１８    回転駆動用マグネット
２２    回転シャフト
２４    軸受スリーブ（軸受）
２６    固定子コイル
２８    回転駆動基板ユニット
３０    軸受固定部材
３２    光学箱
４２    ポリゴンモータ
４６    大径孔（係合部、凹部、第１の螺旋溝）
５４    貫通孔
５８    雄ねじ（第２の螺旋溝）
６４    軸受支持部材
６６    円筒部（係合部、第１の螺旋溝）
７４    光源
【図１】
2004286967.tif 000003
【図２】
2004286967.tif 000004
【図３】
2004286967.tif 000005
【図４】
2004286967.tif 000006
【図５】
2004286967.tif 000007
【図６】
2004286967.tif 000008
【図７】
2004286967.tif 000009
【図８】
2004286967.tif 000010
【図９】
2004286967.tif 000011